(57)【要約】【課題】  広画角、高変倍比、および高い光学性能の点で有利なズームレンズを提供することを例示的目的とする。【解決手段】  ズームレンズは、物体側から順に、変倍時不動の正の第１レンズ群、変倍のために移動する負の第２レンズ群、変倍のために移動する１群又は２群の変倍レンズ群、変倍時不動の正の最終レンズ群から構成されたズームレンズであって、ズーミングのために、互いに隣接するレンズ群どうしの間隔はいずれも変化し、前記最終レンズ群の厚さをｄ４、前記最終レンズ群を構成する最も物体側のレンズの頂点からの距離をｄ４ａとして、前記最終レンズ群のうち、０＜ｄ４ａ／ｄ４＜０．３なる条件を満足する範囲の内にあるレンズ群を前レンズ群、該範囲の外にあるレンズ群を後レンズ群とし、前レンズ群を構成する凸レンズの平均アッベ数、前記凸レンズの平均部分分散比、前レンズ群を構成する凹レンズの平均アッベ数を適切に設定する。【選択図】  図１
2019070713.tif 000002
【特許請求の範囲】
【請求項１】
物体側から像側へ順に、変倍のためには移動しない正の屈折力を有する第１レンズ群、変倍のために移動する負の屈折力を有する第２レンズ群、変倍のために移動する１群又は２群の変倍レンズ群、変倍のためには移動しない正の屈折力を有する最終レンズ群から構成されたズームレンズであって、
ズーミングのために、互いに隣接するレンズ群どうしの間隔はいずれも変化し、
前記最終レンズ群の厚さをｄ４とし、前記最終レンズ群を構成する最も物体側のレンズの頂点からの距離をｄ４ａとして、前記最終レンズ群のうち、
０＜ｄ４ａ／ｄ４＜０．３
なる条件を満足する範囲の内にあるレンズ群を前レンズ群とし、該範囲の外にあるレンズ群を後レンズ群とし、前記前レンズ群を構成する凸レンズの平均アッベ数をνｐａとし、前記凸レンズの平均部分分散比をθｐａとし、前記前レンズ群を構成する凹レンズの平均アッベ数をνｎａとして、
３０＜νｐａ＜５５
３７＜νｎａ＜６０
−１５＜（νｐａ−νｎａ）＜５
０．５５０＜θｐａ＜０．６２０
なる条件を満足することを特徴とするズームレンズ。
なお、アッベ数ν、部分分散比θは、フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとして、
ν＝（Ｎｄ−１）／（ＮＦ−ＮＣ）
θ＝（Ｎｇ−ＮＦ）／（ＮＦ−ＮＣ）
で表されるものとする。
【請求項２】
前記後レンズ群を構成する凸レンズの平均アッベ数をνｐｂとし、前記凸レンズの平均部分分散比をθｐｂとし、前記後レンズ群を構成する凹レンズの平均アッベ数をνｎｂとして、
７０＜νｐｂ＜９０
２５＜νｎｂ＜４３
３５＜（νｐｂ−νｎｂ）＜５５
０．５５０＜θｐｂ＜０．６２０
なる条件を満足することを特徴とする請求項１に記載のズームレンズ。
【請求項３】
物体側から像側へ順に、変倍のためには移動しない正の屈折力を有する第１レンズ群、変倍のために移動する負の屈折力を有する第２レンズ群、変倍のために移動する１群又は２群の変倍レンズ群、変倍のためには移動しない正の屈折力を有する最終レンズ群から構成されたズームレンズであって、
ズーミングのために、互いに隣接するレンズ群どうしの間隔はいずれも変化し、
前記最終レンズ群の厚さをｄ４とし、前記最終レンズ群を構成する最も物体側のレンズの頂点からの距離をｄ４ａとして、前記最終レンズ群のうち、
０＜ｄ４ａ／ｄ４＜０．３
なる条件を満足する範囲の内にあるレンズ群を前レンズ群、該範囲の外にあるレンズ群を後レンズ群とし、前記後レンズ群を構成する凸レンズの平均アッベ数をνｐｂとし、該凸レンズの平均部分分散比をθｐｂとし、前記後レンズ群を構成する凹レンズの平均アッベ数をνｎｂとして、
７０＜νｐｂ＜９０
２５＜νｎｂ＜４３
３５＜（νｐｂ−νｎｂ）＜５５
０．５５０＜θｐｂ＜０．６２０
なる条件を満足することを特徴とするズームレンズ。
なお、アッベ数ν、部分分散比θは、フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとして、
ν＝（Ｎｄ−１）／（ＮＦ−ＮＣ）
θ＝（Ｎｇ−ＮＦ）／（ＮＦ−ＮＣ）
で表されるものとする。
【請求項４】
前記ズームレンズの広角端における焦点距離をｆｗ、前記最終レンズ群の焦点距離をｆ４とし、前記最終レンズ群の後側主点位置をｈとし、前記前レンズ群の焦点距離をｆ４ａとし、前記後レンズ群の焦点距離をｆ４ｂとして、
０．７＜ｆ４ａ／ｆ４＜１．２
０．７＜ｆ４ｂ／ｆ４＜１．４
−１０＜ｈ／ｆｗ＜−３
なる条件を満足することを特徴とする請求項１乃至３のいずれか１項に記載のズームレンズ。
【請求項５】
請求項１乃至４のいずれか１項に記載のズームレンズと、該ズームレンズによって形成され像を受ける撮像素子と、を有することを特徴とする撮像装置。
【発明の詳細な説明】
【技術分野】
【０００１】
本発明は、ズームレンズ及び撮像装置に関する。
【背景技術】
【０００２】
放送用テレビカメラや映画用カメラ、ビデオカメラ、デジタルスチルカメラ、銀塩写真用カメラ等の撮像装置には、広画角、高変倍比、および高い光学性能を有したズームレンズが要望されている。
【０００３】
例えば、特許文献１では、リレー部の後方のレンズ群のアッベ数を規定することで、特に倍率色収差を補正し、良好な光学性能を有するズームレンズを開示している。
【先行技術文献】
【特許文献】
【０００４】
【特許文献１】特開２０１０−２１７７３５号公報
【発明の概要】
【発明が解決しようとする課題】
【０００５】
しかしながら、近年ではより高精細な画像のニーズから、撮像素子の更なる高画素化及び大型化が進んでいる。そのため、広画角、高変倍比でありながら更なる高性能化、特に全ズーム領域における倍率色収差および軸上色収差量の更なる低減が求められている。
【０００６】
本発明は、広画角、高変倍比、および高い光学性能の点で有利なズームレンズを提供することを例示的目的とする。
【課題を解決するための手段】
【０００７】
本発明のズームレンズは、物体側から像側へ順に、変倍のためには移動しない正の屈折力の第１レンズ群、変倍のために移動する負の屈折力を有する第２レンズ群、変倍のために移動する１群又は２群の変倍レンズ群、変倍のためには移動しない正の屈折力を有する最終レンズ群から構成されたズームレンズであって、ズーミングのために、互いに隣接するレンズ群どうしの間隔はいずれも変化し、前記最終レンズ群の厚さをｄ４、前記最終レンズ群を構成する最も物体側のレンズの頂点からの距離をｄ４ａとして、前記最終レンズ群のうち、
０＜ｄ４ａ／ｄ４＜０．３
なる条件を満足する範囲の内にあるレンズ群を前レンズ群とし、該範囲の外にあるレンズ群を後レンズ群とし、前記前レンズ群を構成する凸レンズの平均アッベ数をνｐａ、前記凸レンズの平均部分分散比をθｐａとし、前記前レンズ群を構成する凹レンズの平均アッベ数をνｎａとして、
３０＜νｐａ＜５５
３７＜νｎａ＜６０
−１５＜（νｐａ−νｎａ）＜５
０．５５０＜θｐａ＜０．６２０
なる条件を満足することを特徴とする。
【０００８】
なお、アッベ数ν、部分分散比θは、フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとしたとき、
ν＝（Ｎｄ−１）／（ＮＦ−ＮＣ）
θ＝（Ｎｇ−ＮＦ）／（ＮＦ−ＮＣ）
で表されるものとする。
【発明の効果】
【０００９】
本発明によれば、例えば、広画角、高変倍比、および高い光学性能の点で有利なズームレンズを提供できる。
【図面の簡単な説明】
【００１０】
【図１】数値実施例１におけるズームレンズの広角端で無限遠物体に合焦しているときのレンズ断面図である。
【図２】数値実施例１における（Ａ）無限遠合焦時の広角端、（Ｂ）無限遠合焦時の望遠端の縦収差図である。
【図３】数値実施例２におけるズームレンズの広角端で無限遠物体に合焦しているときのレンズ断面図である。
【図４】数値実施例２における（Ａ）無限遠合焦時の広角端、（Ｂ）無限遠合焦時の望遠端の縦収差図である。
【図５】数値実施例３におけるズームレンズの広角端で無限遠物体に合焦しているときのレンズ断面図である。
【図６】数値実施例３における（Ａ）無限遠合焦時の広角端、（Ｂ）無限遠合焦時の望遠端の縦収差図である。
【図７】数値実施例４におけるズームレンズの広角端で無限遠物体に合焦しているときのレンズ断面図である。
【図８】数値実施例４における（Ａ）無限遠合焦時の広角端、（Ｂ）無限遠合焦時の望遠端の縦収差図である。
【図９】倍率色収差二次スペクトル概念図である。
【図１０】本発明の撮像装置の要部概略図である。
【発明を実施するための形態】
【００１１】
本発明のズームレンズの特徴について説明する。本発明のズームレンズは、物体側から像側へ順に、変倍のためには移動しない正の屈折力を有する第１レンズ群、変倍のために移動する負の屈折力の第２レンズ群、変倍のために移動する１群又は２群の変倍レンズ群、変倍のためには移動しない正の屈折力を有する最終レンズ群により構成される。
【００１２】
ここで、近軸追跡におけるｉ番目のレンズの軸上光線の光軸からの高さをｈ＿ｉとし、近軸追跡におけるｉ番目のレンズの軸外主光線の光軸からの高さをｈ＿ｂａｒ＿ｉとする。また、近軸追跡におけるｉ番目のレンズの屈折力をφ＿ｉ、近軸追跡におけるｉ番目のレンズのアッベ数とν＿ｉとする。
【００１３】
このときレンズ系の軸上色収差係数Ｌ及び倍率色収差係数Ｔは、
Ｌ＝Σ（ｈ＿ｉ×ｈ＿ｉ×φ＿ｉ／ν＿ｉ）  ・・・（ア）
Ｔ＝Σ（ｈ＿ｉ×ｈ＿ｂａｒ＿ｉ×φ＿ｉ／ν＿ｉ）  ・・・（イ）
と表すことができる。式（ア）及び（イ）より、軸上色収差は高さｈ＿ｉの自乗に比例し、倍率色収差は高さｈ＿ｉと高さｈ＿ｂａｒ＿ｉに比例することがわかる。
【００１４】
そこで、本発明では、最も像側の変倍のためには移動しない正の屈折力を有する最終レンズ群のうち、開校絞りに近く、倍率色収差補正の分担度が低いレンズ群のレンズ群Ａ（前レンズ群）、開校絞りから離れ、倍率色収差補正の分担度が高いレンズ群のレンズ群Ｂ（後レンズ群）から構成している。
【００１５】
具体的には、最も像側の変倍時に固定のレンズ群の厚さをｄ４、最も像側の変倍時に固定の正レンズ群を構成する最も物体側のレンズ頂点からの距離をｄ４ａとしたときに
０＜ｄ４ａ／ｄ４＜０．３  ・・・（１）
なる条件を満足する範囲内にあるレンズ群をレンズ群Ａ、それ以外をレンズ群Ｂとしている。
【００１６】
更に、前記レンズ群Ａを構成する凸レンズの平均アッベ数をνpa、平均部分分散比をθｐａとし、前記レンズ群Ａを構成する凹レンズの平均アッベ数をνｎａとしたとき、以下の条件式を満足することを特徴としている。
３０＜νｐａ＜５５  ・・・（２）
３７＜νｎａ＜６０  ・・・（３）
−１５＜（νｐａ−νｎａ）＜５  ・・・（４）
０．５５０＜θｐａ＜０．６２０  ・・・（５）
【００１７】
更に、前記レンズ群Ｂを構成する凸レンズの平均アッベ数をνｐｂ、平均部分分散比をθｐｂとし、前記レンズ群Ｂを構成する凹レンズの平均アッベ数をνｎｂとしたとき、以下の条件式を満足することを特徴としている。
７０＜νｐｂ＜９０  ・・・（６）
２５＜νｎｂ＜４３  ・・・（７）
３５＜（νｐｂ−νｎｂ）＜５５  ・・・（８）
０．５５０＜θｐｂ＜０．６２０  ・・・（９）
【００１８】
なお、アッベ数νおよび部分分散比θは、ｇ線における屈折率をＮｇ、Ｆ線における屈折率をＮＦ、ｄ線における屈折率をＮｄ、Ｃ線における屈折率をＮＣとしたとき、
ν＝（Ｎｄ−１）／（ＮＦ−ＮＣ）      ・・・（１０）
θ＝（Ｎｇ−ＮＦ）／（ＮＦ−ＮＣ）    ・・・（１１）
である。
【００１９】
なお、アッベ数ν、部分分散比θは、フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとしたとき、
ν＝（Ｎｄ−１）／（ＮＦ−ＮＣ）
θ＝（Ｎｇ−ＮＦ）／（ＮＦ−ＮＣ）
で表されるものとする。
【００２０】
ここで、本発明のズームレンズにおいて色収差の補正について説明する。
ズームレンズにおいて高い光学性能を得るためには、倍率色収差および軸上色収差を良好に補正することが重要となる。特に、広角端における倍率色収差と軸上色収差の良好な補正を両立する際、適切な材料を見極めないとレンズ枚数が増加する。
【００２１】
ここでは、Ｃ線に対するＦ線の軸上色収差と倍率色収差を、それぞれ軸上色収差の一次スペクトル、倍率色収差の一次スペクトルと定義する。また、それぞれの一次スペクトルをゼロに補正した後に残存するＦ線に対するｇ線の軸上色収差と倍率色収差を、それぞれ軸上色収差の二次スペクトル、倍率色収差の二次スペクトルと定義する。
【００２２】
レンズ全系の軸上色収差量Δｆ、倍率色収差量ΔＹは、以下の式（ウ）及び（エ）で与えられる。
Δｆ＝−ｆ×Ｌ  ・・・（ウ）
ΔＹ＝−Ｙ×Ｔ  ・・・（エ）
但し、レンズ全系の焦点距離をｆ、像高をＹとする。
【００２３】
今、式（ア）及び（イ）で用いているアッベ数ν＿ｉの部分分散をＮｇ−ＮＦと考える。すなわち、式（ア）及び（イ）はそれぞれ軸上色収差、倍率色収差の二次スペクトルに関する色収差係数となり、式（ウ）及び（エ）はそれぞれ軸上色収差、倍率色収差の二次スペクトル量を表す。
【００２４】
式（ア）及び（ウ）より、軸上色収差の二次スペクトルの各レンズの分担値は、軸上光線の高さの二乗、レンズのパワー及びｇ線とＦ線の屈折率差に比例して大きくなる。式（イ）及び（エ）より、倍率色収差の二次スペクトルの各レンズの分担値は、軸上光線の高さ、軸外光線の高さ、レンズのパワー及びｇ線とＦ線の屈折率差に比例して大きくなる。
【００２５】
従来のズームレンズにおいては、図９のように広角端で倍率色収差の一次スペクトルをゼロにすると、倍率色収差の二次スペクトルが正に残存してしまうという傾向がある。
これを補正するためには、倍率色収差補正の分担度が高い前記レンズ群Ｂにおいて、ｇ線とＦ線の屈折率差の絶対値が大きい材質からなるレンズを適切なパワーを有するように構成して配置すればよい。これにより広角端における倍率色収差の二次スペクトルを補正することができる。
【００２６】
また、開口絞りに近い前記レンズ群Ａを、適切な硝材、適切なパワーを有するように構成することで、ズーム全域における軸上色収差の二次スペクトルの良好な補正と、広角端での倍率色収差の二次スペクトルの良好な補正を両立させることができる。
【００２７】
条件式（１）は、前記レンズ群Ａを規定している。下限値を超えると前記レンズ群Ａを構成するレンズ厚が十分確保できず、少ないレンズ枚数で構成することになり、良好な収差補正が困難となるため良くない。上限値を超えて厚くなるとそれに伴いレンズ全系が大型化してしまう。
【００２８】
条件式（２）〜（５）は、開校絞りに近い前記レンズ群Ａを構成するレンズの硝材のアッベ数と部分分散比を規定している。
倍率色収差補正の二次スペクトル補正には、分担度が高い前記レンズ群Ｂにおいて、ｇ線とＦ線の屈折率差の絶対値が大きい材質からなるレンズを配するのが良いが、軸上色収差の一次スペクトルの補正が過剰となる傾向がある。それを防ぎ、且つ軸上色収差および倍率色収差補正の二次スペクトル補正を良好にするため、前記レンズ群Ａを構成するレンズの硝材が条件式（２）〜（５）を同時に満たすようのが良い。
【００２９】
条件式（２）の下限値を超えると軸上色収差の一次スペクトルの補正不足となり良くない。上限値を超えると軸上色収差の一次スペクトルの補正過剰となり良くない。
条件式（３）の下限値を超えると軸上色収差の一次スペクトルの補正過剰となり良くない。上限値を超えると軸上色収差の一次スペクトルの補正不足となり良くない。
条件式（４）の下限値を超えると軸上色収差の一次スペクトルの補正不足となり良くない。上限値を超えると軸上色収差の一次スペクトルの補正過剰となり良くない。
条件式（５）の下限値を超えると軸上色収差の二次スペクトルの補正不足となり良くない。上限値を超えると軸上色収差の二次スペクトルの補正過剰となり良くない。
【００３０】
更に、条件式（１）〜（５）を以下のようにするのが好ましい。
０＜ｄ４ａ／ｄ４＜０．２５  ・・・（１ａ）
３２＜νｐａ＜５０  ・・・（２ａ）
４０＜νｎａ＜５５  ・・・（３ａ）
−１３＜（νｐａ−νｎａ）＜０  ・・・（４ａ）
０．５５５＜θｐａ＜０．６００  ・・・（５ａ）
【００３１】
条件式（６）〜（９）は、開校絞りから離れた前記レンズ群Ｂを構成するレンズの硝材のアッベ数と部分分散比を規定している。条件式（１）〜（５）を満たすレンズにおいて、前記レンズ群Ｂにｇ線とＦ線の屈折率差の絶対値が大きい材質からなるレンズを配し、倍率色収差補正の二次スペクトル補正および軸上色収差の一次と二次スペクトルの良好な補正を可能としている。
【００３２】
条件式（５）の下限値を超えると軸上色収差の一次スペクトルの補正不足となり良くない。上限値を超えると軸上色収差の一次スペクトルの補正過剰となり良くない。
条件式（６）の下限値を超えると軸上色収差の一次スペクトルの補正過剰となり良くない。上限値を超えると軸上色収差の一次スペクトルの補正不足となり良くない。
条件式（７）の下限値を超えると軸上色収差の一次スペクトルの補正不足となり良くない。上限値を超えると軸上色収差の一次スペクトルの補正過剰となり良くない。
条件式（４）の下限値を超えると倍率色収差および軸上色収差の二次スペクトルの補正不足となり良くない。上限値を超えると倍率色収差および軸上色収差の二次スペクトルの補正過剰となり良くない。
【００３３】
更に、条件式（６）〜（９）を以下のようにするのが好ましい。
７２＜νｐｂ＜８２  ・・・（６ａ）
２８＜νｎｂ＜４１  ・・・（７ａ）
３７＜（νｐｂ−νｎｂ）＜５２  ・・・（８ａ）
０．５５５＜θｐｂ＜０．６００  ・・・（９ａ）
【００３４】
更に、全系の広角端焦点距離をｆｗ、最も像側の変倍時に固定の正レンズ群の焦点距離をｆ４および後ろ側主点位置をｈとし、前記レンズ群Ａの焦点距離をｆ４ａ、前記レンズ群Ｂの焦点距離をｆ４ｂとしたとき、以下の条件式を満足することを特徴としている。
０．７＜ｆ４ａ／ｆ４＜１．２  ・・・（１２）
０．７＜ｆ４ｂ／ｆ４＜１．４  ・・・（１３）
−１０＜ｈ／ｆｗ＜−３  ・・・（１４）
【００３５】
条件式（１２）〜（１４）は、最も像側の変倍のためには移動しない正の屈折力を有する最終レンズ群、前記レンズ群Ａ、前記レンズ群Ｂのパワー関係および最も像側の変倍のためには移動しない正の屈折力を有する最終レンズ群の後ろ側主点位置を規定している。
広画角でありながら、バックフォーカスを長く取るためには、最も像側の変倍時に固定の正レンズ群の後ろ側主点を像面側に押し出すような構成とする必要がある。
【００３６】
条件式（１２）の下限値を超えて前記レンズ群Ａのパワーが強くなると、最も像側の変倍のためには移動しない正の屈折力を有する最終レンズ群の後ろ側主点位置が像面側に押し出せず、バックフォーカスが十分に確保できない。上限を超えて前記レンズ群Ａのパワーが弱くなると結像面への収斂作用を前記レンズ群Ｂで負担することになり、諸収差の補正が困難になる。または、諸収差の補正に必要なレンズ枚数が増加し、それに伴いレンズ全系が大型化してしまう。
【００３７】
条件式（１３）の下限値を超えて前記レンズ群Ｂのパワーが強くなると、諸収差の補正が困難になる。または、諸収差の補正に必要なレンズ枚数が増加し、それに伴いレンズ全系が大型化してしまう。上限値を超えて前記レンズ群Ｂのパワーが弱くなると最も像側の変倍のためにはいどうしない正の屈折力を有する最終レンズ群の後ろ側主点位置が像面側に押し出せず、バックフォーカスが十分に確保できない。
【００３８】
条件式（１４）の下限値を超えると広画角と長いバックフォーカスの両立が困難となる。上限値を超えると前記レンズ群Ａのパワーが弱くなりすぎ且つ前記レンズ群Ｂのパワーが強くなりすぎ、諸収差補正が困難となる。または、諸収差の補正に必要なレンズ枚数が増加し、それに伴いレンズ全系が大型化してしまう。
【００３９】
更に、条件式（１２）〜（１４）を以下のようにするのが好ましい。
０．７６＜ｆ４ａ／ｆ４＜１．１  ・・・（１２ａ）
０．８＜ｆ４ｂ／ｆ４＜１．０  ・・・（１３ａ）
−８＜ｈ／ｆｗ＜−５  ・・・（１４ａ）
【００４０】
次に各実施例について説明する。
【実施例１】
【００４１】
図１は本発明の数値実施例１のズームレンズの広角端、物体距離無限遠合焦時のレンズ断面図である。物体側から像側へ順に変倍のためには移動しない正の屈折力を有する第１レンズ群Ｕ１、変倍のために移動する負の屈折力の第２レンズ群Ｕ２、変倍のために移動する負の屈折力の第３レンズ群Ｕ３、変倍のためには移動しない第４レンズ群Ｕ４（最終レンズ群）で構成されている。更に、第４レンズ群Ｕ４は、第１サブレンズ群Ｕ４Ａおよび第２サブレンズ群Ｕ４Ｂから構成されている。ズーミングのために、互いに隣接するレンズ群どうしの間隔はいずれも変化する。
【００４２】
第１レンズ群Ｕ１はズーミングのためには移動せず、正の屈折力を有している。第１レンズ群Ｕ１は、その全体又は一部のレンズ群がフォーカシングのために移動する。
第２レンズ群Ｕ２はズーミング時に移動する負の屈折力を持つレンズ群（バリエータレンズ群）である。この第２レンズ群Ｕ２は光軸上を像面側へ移動させることにより、広角端から望遠端への変倍を行っている。なお、広角端と望遠端は変倍用の第２レンズ群Ｕ２が機構上光軸上を移動可能な範囲の両端に位置したときのズーム位置をいう。
第３レンズ群Ｕ３はズーミング時に移動する負の屈折力を持つレンズ群（コンペンセーターレンズ群）である。この第３レンズ群Ｕ３は、第２群レンズ群の移動に連動して光軸上を移動して、変倍に伴う像面変動を補正している。
第４レンズ群Ｕ４は、変倍のためには移動せず結像のための正の屈折力を有している。
【００４３】
ＳＰは開口絞りであり、第３レンズ群Ｕ３と第４レンズ群Ｕ４との間に配置されている。開口絞りが化位置される位置は、この位置に限定されることはなく、どの位置に配置されていても本発明の効果を享受することができる。これは以下の実施例においても同様である。ＤＧは、光学フィルタや色分解プリズムに相当するガラスブロックである。ＩＰは像面であり、撮像素子（光電変換素子）の撮像面に相当している。
【００４４】
以上に説明したレンズ構成は、以下に説明する図３、５において説明する実施例２、３においても全て同じである。
【００４５】
図２は、数値実施例１の（Ａ）広角端、（Ｂ）望遠端における物体距離無限遠合焦時の縦収差図である。但し、焦点距離や物体距離の値は、後述する数値実施例をｍｍ単位で表したときの値である。
【００４６】
全ての収差図において、球面収差はｅ線（実線）、ｇ線（ニ点鎖線）によって表されている。非点収差はｅ線のメリディオナル像面（ΔＭ：点線）とｅ線のサジタル像面（ΔＳ：実線）によって表されている。倍率色収差はｇ線（ニ点鎖線）によって表されている。ＦｎｏはＦナンバー、ωは半画角である。全ての収差図は、球面収差は０．２ｍｍ、非点収差は０．２ｍｍ、歪曲は５％、倍率色収差は、０．０５ｍｍのスケールで描かれている。
【００４７】
実施例１では、最も像側の変倍時に固定の正レンズ群である第４レンズ群Ｕ４を第１サブレンズ群Ｕ４Ａと第２サブレンズ群Ｕ４Ｂで構成している。更に、表１に示すとおり、第１サブレンズ群Ｕ４Ａと第２サブレンズ群Ｕ４Ｂが各条件式を満たすように構成されている。これにより、良好な収差補正を実現している。
【実施例２】
【００４８】
図３は、本発明の数値実施例２のズームレンズの広角端、物体距離無限遠合焦時のレンズ断面図である。物体側から順に変倍のためには移動しない正の屈折力の第１レンズ群Ｕ１群、変倍のために移動する負の屈折力の第２レンズ群Ｕ２、変倍のために移動する負の屈折力の第３レンズ群Ｕ３、変倍のためには移動しない第４レンズ群Ｕ４（最終レンズ群）で構成されている。更に、第４レンズ群Ｕ４は、第１サブレンズ群Ｕ４Ａおよび第２サブレンズ群Ｕ４Ｂから構成されている。ズーミングのために、互いに隣接するレンズ群どうしの間隔はいずれも変化する。
【００４９】
図４は、数値実施例２の（Ａ）広角端、（Ｂ）望遠端における物体距離無限遠合焦時の縦収差図である。
実施例２においても、最も像側の変倍のためには移動しない正レンズ群である第４レンズ群Ｕ４を第１サブレンズ群Ｕ４Ａと第２サブレンズ群Ｕ４Ｂで構成している。更に、表１に示すとおり、第１サブレンズ群Ｕ４Ａと第２サブレンズ群Ｕ４Ｂが各条件式を満たすように構成されている。これにより、良好な収差補正を実現している。
【実施例３】
【００５０】
図５は、本発明の数値実施例３のズームレンズの広角端、物体距離無限遠合焦時のレンズ断面図である。物体側から像側へ順に、変倍のためには移動しない正の屈折力の第１レンズ群Ｕ１、変倍のために移動する負の屈折力の第２レンズ群Ｕ２、変倍のために移動する負の屈折力の第３レンズ群Ｕ３、変倍のためには移動しない第４レンズ群Ｕ４（最終レンズ群）で構成されている。更に、第４レンズ群Ｕ４群は、第１サブレンズ群Ｕ４Ａおよび第２サブレンズ群Ｕ４Ｂから構成されている。ズーミングのために、互いに隣接するレンズ群どうしの間隔はいずれも変化する。
【００５１】
図６は、数値実施例３の（Ａ）広角端、（Ｂ）望遠端における物体距離無限遠合焦時の縦収差図である。
実施例３においても、最も像側の変倍のためには移動しない正レンズ群である第４レンズ群Ｕ４を第１サブレンズ群Ｕ４Ａと第２サブレンズ群Ｕ４Ｂで構成している。更に、表１に示すとおり、第１サブレンズ群Ｕ４Ａと第２サブレンズ群Ｕ４Ｂが各条件式を満たすように構成されている。これにより、良好な収差補正を実現している。
【実施例４】
【００５２】
図７は、本発明の数値実施例４のズームレンズの広角端、物体距離無限遠合焦時のレンズ断面図である。物体側から像側へ順に、変倍のためには移動しない正の屈折力の第１レンズ群Ｕ１、変倍のために移動する負の屈折力の第２レンズ群Ｕ２、変倍のために移動する負の屈折力の第３レンズ群Ｕ３、変倍のために移動する負の屈折力の第４レンズ群Ｕ４群、変倍のためには移動しない第５レンズ群Ｕ５（最終レンズ群）で構成されている。更に、第５レンズ群Ｕ５は、第１サブレンズ群Ｕ５Ａおよび第２サブレンズ群Ｕ５Ｂから構成されている。ズーミングのために、互いに隣接するレンズ群どうしの間隔はいずれも変化する。
【００５３】
図８は、数値実施例４の（Ａ）広角端、（Ｂ）望遠端における物体距離無限遠合焦時の縦収差図である。
実施例４においても、最も像側の変倍時に固定の正レンズ群である第５レンズ群Ｕ５を第１サブレンズ群Ｕ５Ａ（前レンズ群）と第２サブレンズ群Ｕ５Ｂ（後レンズ群）で構成している。更に、表１に示すとおり、第１サブレンズ群Ｕ５Ａと第２サブレンズ群Ｕ５Ｂが各条件式を満たすように構成されている。これにより、良好な収差補正を実現している。
【００５４】
図１０は各実施例のズームレンズを撮影光学系として用いた撮像装置１２５（テレビカメラシステム）の要部概略図である。図１０において１０１は実施例１〜３のいずれか１つのズームレンズである。１２４はカメラ本体であり、ズームレンズ１０１はカメラ本体１２４に対して着脱可能になっている。１２５はカメラ１２４にズームレンズ１０１を装着することにより構成される撮像装置（撮像システム）である。
【００５５】
なお、ここでズームレンズ１０１とカメラ本体１２４とは一体的に構成しても構わない。ズームレンズ１０１は第１レンズ群Ｆ、変倍部ＬＺ、結像用の第４レンズ群Ｒを有している。第１レンズ群Ｆは合焦用レンズ群が含まれている。変倍部ＬＺは変倍のために光軸上を移動する第２レンズ群と、変倍に伴う像面変動を補正するために光軸上を移動する第３レンズ群が含まれている。ＳＰは開口絞りである。
【００５６】
１１４、１１５は、各々第１レンズ群Ｆ、変倍部ＬＺを光軸方向に駆動するヘリコイドやカム等の駆動機構である。１１６〜１１８は駆動機構１１４、１１５及び開口絞りＳＰを電動駆動するモータ（駆動手段）である。１１９〜１２１は、第１レンズ群Ｆ、変倍部ＬＺの光軸上の位置や、開口絞りＳＰの絞り径を検出するためのエンコーダやポテンショメータ、あるいはフォトセンサ等の検出器である。
【００５７】
カメラ本体１２４において、１０９はカメラ本体１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ本体１２４及びズームレンズ本体１０１の各種の駆動を制御するＣＰＵである。
【００５８】
このように本発明のズームレンズをテレビカメラに適用することにより、高い光学性能を有する撮像装置を実現している。
【００５９】
以下に本発明の実施例１〜４に対応する数値実施例１〜４を示す。各数値実施例において、ｉは物体側からの面の順序を示し、ｒｉは第ｉ面の曲率半径、ｄｉは第ｉ面と第ｉ＋１面の間隔、Ｎｉ，νｉは第ｉ面と第ｉ＋１面の間の光学部材の屈折率とアッベ数である。非球面形状は光軸方向にＸ軸、光軸と垂直方向にＨ軸、光の進行方向を正とし、Ｒを近軸曲率半径、ｋを円錐常数、Ａ４、Ａ５、Ａ６、Ａ７、Ａ８、Ａ９、Ａ１０、Ａ１１、Ａ１２、Ａ１３、Ａ１４、Ａ１５、Ａ１６をそれぞれ非球面係数とし、次式で表している。
【００６０】
【数１】
2019070713.tif 000003
また、例えば「ｅ−Ｚ」は「×１０−Ｚ」を意味する。面番号に付された＊印はその面が非球面であることを示している。
【００６１】
（数値実施例１）
単位 mm
面データ
面番号     r          d         nd         vd       θgF      有効径     
1*      149.548      2.80     1.80100    34.97     0.586      88.3     
2        42.647     27.59                                     70.5     
3       -98.092      2.20     1.64000    60.08     0.537      69.8     
4       292.025      0.20                                     73.5     
5       117.722      9.12     1.95906    17.47     0.660      75.7     
6       625.243      1.84                                     75.8     
7*      200.826     10.94     1.60311    60.64     0.542      75.1     
8      -177.095     10.00                                     75.7     
9       368.778      2.00     1.84666     23.78     0.621     66.6     
10        83.802     10.73     1.43875     94.66     0.534     67.0     
11      -289.312      0.20                                     67.7     
12       148.911      2.00     1.80000     29.84     0.602     66.7     
13        62.705     12.51     1.43875     94.66     0.534     65.0     
14      -294.273      0.25                                     65.1     
15       241.395      5.46     1.59522     67.74     0.544     64.9     
16      -318.587      0.20                                     65.0     
17       101.480      8.69     1.76385     48.51     0.559     60.4     
18      -183.679     (可変)                                    59.5     
19*       79.525      1.30     1.77250     49.60     0.552     32.2     
20        20.175     10.08                                     26.9     
21       -27.984      0.90     1.69680     55.53     0.543     25.1     
22      -117.338      0.12                                     24.5     
23        95.120      3.92     1.85478     24.80     0.612     24.9     
24       -52.853      2.00                                     25.0     
25       -27.569      0.90     1.77250     49.60     0.552     24.9     
26       -57.066     (可変)                                    25.9     
27       -32.819      0.90     1.72916     54.68     0.544     26.3     
28        68.152      3.55     1.84666     23.78     0.619     28.7     
29      -870.558     (可変)                                    29.2     
30         絞り       1.40                                     25.3     
31      2004.580      3.09     1.64000     60.08     0.537     26.1     
32       -71.403      0.15                                     26.7     
33        69.906      6.33     1.72047     34.71     0.583     27.4     
34       -31.069      1.20     1.53775     74.7      0.539     27.4     
35        35.657      0.89                                     26.5     
36        49.237      7.52     1.72047     34.71     0.583     26.5     
37       -24.445      1.20     1.92286     18.90     0.650     26.3     
38     -1374.016     16.22                                     26.6     
39    -15834.806      6.46     1.92286     18.90     0.650     27.8     
40       -23.187      1.30     2.00330     28.27     0.598     27.9     
41       547.294     11.43                                     28.5     
42        86.635      7.72     1.43875     94.66     0.534     33.6     
43       -39.112      0.14                                     34.1     
44       -76.315      1.40     1.91650     31.60     0.591     33.8     
45        51.590      8.10     1.43875     94.66     0.534     34.8     
46       -59.686      0.20                                     36.0     
47       107.826      6.14     1.43875     94.66     0.534     37.9     
48       -77.053      0.15                                     38.3     
49        72.137      4.97     1.48749     70.23     0.530     38.5     
50      -457.394      5.00                                     38.1     
51         ∞        63.04     1.60859     46.44     0.566     50.0     
52         ∞         8.70     1.51633     64.15     0.535     50.0     
53         ∞        19.65                                     50.0     
像面       ∞                              
非球面データ
第1面
K = 7.33269e+000  A 4=-6.15452e-007  A 6=-9.77433e-009  A 8=-1.03311e-011  A10= 2.74432e-015  A12= 3.26164e-019  
A 5= 1.13885e-007  A 7= 4.44163e-010  A 9= 5.25416e-014  A11=-5.64765e-017  
第7面
K =-1.11561e+001  A 4=-1.55558e-007  A 6= 4.05608e-009  A 8= 3.16992e-012  A10=-3.01649e-016  A12= 1.52269e-018  A14= 1.53867e-021  A16= 2.92896e-025  
A 5=-4.99609e-008  A 7=-1.62368e-010  A 9=-6.91232e-015  A11=-2.77999e-017  A13=-4.99106e-020  A15=-3.25632e-023  
第19面
K = 1.83539e+001  A 4= 5.27694e-007  A 6=-1.89572e-008  A 8= 2.09674e-009  A10=-9.88135e-012  A12=-1.64945e-014  
A 5= 5.24332e-007  A 7=-1.50246e-008  A 9=-4.51209e-011  A11= 7.54595e-013  
【００６２】
各種データ
ズーム比      6.70 
焦点距離      11.00    19.80    35.20    55.55    73.70  
Fナンバー      2.30     2.30     2.30     2.30     2.30  
半画角        40.06    25.04    14.72     9.45     7.15  
像高           9.25     9.25     9.25     9.25     9.25  
レンズ全長   362.01   362.01   362.01   362.01   362.01  
BF            19.65    19.65    19.65    19.65    19.65  
d18            0.89    19.43    32.73    40.42    43.93  
d26           36.72    16.75     5.05     2.40     4.01  
d29           11.60    13.03    11.43     6.39     1.28  
入射瞳位置    52.55    68.25    89.46   111.11   125.65  
射出瞳位置   599.61   599.61   599.61   599.61   599.61  
前側主点位置  63.76    88.72   126.80   171.98   208.71  
後側主点位置   8.65    -0.15   -15.55   -35.90   -54.05  
ズームレンズ群データ
群  始面    焦点距離  レンズ構成長  前側主点位置  後側主点位置
1    1      44.38       106.74        60.49         31.84
2   19     -26.12        19.22         3.09        -12.23
3   27     -51.39         4.45        -0.17         -2.61
4   31      63.77        84.60        68.57        -70.89
単レンズデータ
レンズ  始面  焦点距離
1       1    -74.86
2       3   -114.03
3       5    147.91
4       7    157.14
5       9   -127.24
6      10    149.04
7      12   -135.74
8      13    118.79
9      15    230.76
10      17     86.30
11      19    -35.16
12      21    -52.73
13      23     39.86
14      25    -69.64
15      27    -30.13
16      28     74.05
17      31    107.37
18      33     30.45
19      34    -30.58
20      36     23.53
21      37    -26.65
22      39     24.85
23      40    -21.96
24      42     62.43
25      44    -33.16
26      45     64.34
27      47    103.21
28      49    127.78
29      51      0.00
30      52      0.00
【００６３】
（数値実施例２）
単位 mm
面データ
面番号     r          d         nd         vd       θgF     有効径     
1*      163.437      2.80     1.80100     35.0     0.586     88.3 
2        42.600     27.98                                    70.5 
3       -93.420      2.20     1.64000     60.1     0.537     69.8 
4       353.608      0.20                                    73.5 
5       125.826      9.24     1.95906     17.5     0.660     75.7 
6      1186.367      1.99                                    75.8 
7*      209.507     11.01     1.60311     60.6     0.542     75.1 
8      -168.720     10.00                                    75.7 
9       321.528      2.00     1.84666     23.8     0.621     66.6 
10        80.689     11.31     1.43875     94.7     0.534     67.0 
11      -254.404      0.20                                    67.7 
12       151.967      2.00     1.80000     29.8     0.602     66.7 
13        62.795     12.02     1.43875     94.7     0.534     65.0 
14      -400.391      0.25                                    65.1 
15       213.130      5.58     1.59522     67.7     0.544     64.9 
16      -355.266      0.20                                    65.0 
17       101.480      8.67     1.76385     48.5     0.559     60.4 
18      -185.603     (可変)                                   59.5 
19*       78.584      1.30     1.77250     49.6     0.552     32.2 
20        20.175     10.20                                    26.9 
21       -27.127      0.90     1.69680     55.5     0.543     25.1 
22      -115.608      0.12                                    24.5 
23       103.355      5.10     1.85478     24.8     0.612     24.9 
24       -50.973      1.67                                    25.0 
25       -27.907      0.90     1.77250     49.6     0.552     24.9 
26       -57.066     (可変)                                   25.9 
27       -33.370      0.90     1.72916     54.7     0.544     26.3 
28        70.827      3.00     1.84666     23.8     0.619     28.7 
29      -870.558     (可変)                                   29.2 
30        絞り        1.40                                    25.3 
31      -165.545      3.00     1.83400     37.2     0.578     25.8 
32       -51.203      0.15                                    26.4 
33        68.758      6.62     1.72047     34.7     0.583     27.1 
34       -28.245      1.20     1.92286     18.9     0.650     27.1 
35     -1094.871      0.20                                    27.4 
36        46.079      7.11     1.72047     34.7     0.583     27.7 
37       -31.900      1.20     1.53775     74.7     0.539     27.4 
38        22.212      7.53                                    24.7 
39        52.331      9.12     1.80810     22.8     0.631     25.7 
40       -17.266      1.30     2.00330     28.3     0.598     25.4 
41        65.209     12.39                                    26.2 
42      1180.666      9.06     1.43875     94.7     0.534     33.9 
43       -24.933      0.20                                    34.9 
44       129.226      1.40     1.88300     40.8     0.567     35.4 
45        36.474      7.27     1.43875     94.7     0.534     34.9 
46      -172.208      0.20                                    35.3 
47        90.980      8.66     1.43875     94.7     0.534     36.0 
48       -34.475      1.40     1.88300     40.8     0.567     36.0 
49      -156.162      0.15                                    37.6 
50       298.674      7.45     1.48749     70.2     0.530     38.3 
51       -39.538      5.00                                    38.6 
52         ∞        63.04     1.60859     46.4     0.566     50.0 
53         ∞         8.70     1.51633     64.2     0.535     50.0 
54         ∞        19.50                                    50.0 
像面       ∞                         
非球面データ
第1面
K = 1.00231e+001  A 4=-2.61109e-007  A 6=-1.09707e-009  A 8= 2.93571e-013  A10=-3.38366e-015  A12=-5.00146e-019  
A 5= 2.96902e-008  A 7=-5.22620e-012  A 9= 5.99830e-014  A11= 6.82049e-017  
第7面
K =-1.50982e+001  A 4=-3.41448e-007  A 6=-1.03531e-009  A 8= 9.01971e-013  A10= 2.87265e-015  A12= 2.38372e-019  A14= 3.07510e-021  A16=-1.18463e-025  
A 5= 4.20514e-009  A 7= 5.67785e-011  A 9=-1.47770e-013  A11= 4.64730e-017  A13=-1.29632e-019  A15=-1.51585e-023  
第19面
K = 1.84565e+001  A 4= 2.18836e-006  A 6= 3.60808e-007  A 8= 6.18748e-009  A10=-2.15354e-011  A12=-3.15905e-014  
A 5=-7.89081e-007  A 7=-7.14280e-008  A 9=-1.03476e-010  A11= 1.52154e-012  
【００６４】
各種データ
ズーム比      6.70 
焦点距離      11.00    19.80    35.20    55.55    73.70  
Fナンバー      2.27     2.27     2.27     2.27     2.33  
半画角        40.06    25.04    14.72     9.45     7.15  
像高           9.25     9.25     9.25     9.25     9.25  
レンズ全長   363.90   363.90   363.90   363.90   363.90  
BF            19.50    19.50    19.50    19.50    19.50  
d18            1.28    19.64    32.78    40.34    43.77  
d26           36.04    16.26     4.81     2.40     4.16  
d29           11.60    13.02    11.33     6.19     1.00  
入射瞳位置    51.95    67.39    88.30   109.62   123.81  
射出瞳位置   837.95   837.95   837.95   837.95   837.95  
前側主点位置  63.10    87.67   125.02   168.94   204.14  
後側主点位置   8.50    -0.30   -15.70   -36.05   -54.20  
ズームレンズ群データ
群  始面    焦点距離  レンズ構成長  前側主点位置  後側主点位置
1    1      43.64       107.65        59.93         32.12
2   19     -25.96        20.19         2.99        -12.89
3   27     -52.17         3.90        -0.16         -2.30
4   31      61.36        85.60        64.18        -65.71
単レンズデータ
レンズ  始面  焦点距離
1       1    -72.20
2       3   -114.79
3       5    144.21
4       7    156.06
5       9   -126.47
6      10    140.72
7      12   -134.06
8      13    124.39
9      15    223.84
10      17     86.61
11      19    -35.31
12      21    -50.86
13      23     40.18
14      25    -71.33
15      27    -30.86
16      28     76.71
17      31     87.28
18      33     28.42
19      34    -31.05
20      36     27.02
21      37    -24.09
22      39     16.90
23      40    -13.39
24      42     55.64
25      44    -57.63
26      45     69.17
27      47     58.06
28      48    -50.08
29      50     71.90
30      52      0.00
31      53      0.00
【００６５】
（数値実施例３）
単位 mm
面データ
面番号     r          d         nd         vd       θgF     有効径     
1*      150.642      2.80     1.80100     35.0     0.586     88.3 
2        42.822     27.49                                    70.5 
3       -97.613      2.20     1.64000     60.1     0.537     69.8 
4       290.941      0.20                                    73.5 
5       117.548      9.13     1.95906     17.5     0.660     75.7 
6       623.278      1.85                                    75.8 
7*      208.446     10.97     1.60311     60.6     0.542     75.1 
8      -171.570     10.00                                    75.7 
9       385.950      2.00     1.84666     23.8     0.621     66.6 
10        83.826     10.68     1.43875     94.7     0.534     67.0 
11      -297.694      0.20                                    67.7 
12       142.280      2.00     1.80000     29.8     0.602     66.7 
13        62.663     12.65     1.43875     94.7     0.534     65.0 
14      -274.177      0.25                                    65.1 
15       234.827      5.39     1.59522     67.7     0.544     64.9 
16      -345.241      0.20                                    65.0 
17       101.486      8.62     1.76385     48.5     0.559     60.4 
18      -189.155     (可変)                                   59.5 
19*       81.276      1.30     1.77250     49.6     0.552     32.2 
20        20.175     10.13                                    26.9 
21       -27.598      0.90     1.69680     55.5     0.543     25.1 
22      -107.710      0.12                                    24.5 
23        97.787      3.93     1.85478     24.8     0.612     24.9 
24       -51.703      1.73                                    25.0 
25       -27.588      0.90     1.77250     49.6     0.552     24.9 
26       -57.933     (可変)                                   25.9 
27       -32.827      0.90     1.72916     54.7     0.544     26.3 
28        68.753      3.38     1.84666     23.8     0.619     28.7 
29      -860.263     (可変)                                   29.2 
30         0.000      1.40                                    25.2 
31      -766.763      3.13     1.53775     74.7     0.539     25.9 
32       -62.011      0.15                                    26.6 
33        68.528      6.27     1.72047     34.7     0.583     27.5 
34       -32.822      1.20     1.49700     81.5     0.538     27.6 
35        33.731      1.04                                    26.6 
36        48.810      7.68     1.72047     34.7     0.583     26.7 
37       -24.297      1.20     1.92286     18.9     0.650     26.4 
38      4136.282     13.56                                    26.7 
39      -839.194      6.57     1.92286     18.9     0.650     27.9 
40       -22.743      1.30     2.00330     28.3     0.598     28.1 
41      -854.680     13.41                                    28.8 
42        94.237      7.16     1.43875     94.7     0.534     33.4 
43       -40.116      0.15                 33.8 
44       -82.233      1.40     1.91650     31.6     0.591     33.6 
45        52.623      9.84     1.43875     94.7     0.534     34.4 
46       -57.923      0.20                                    36.2 
47       144.422      5.40     1.43875     94.7     0.534     37.7 
48       -79.252      0.15                                    37.9 
49        68.431      4.80     1.43875     94.7     0.534     38.0 
50      -574.592      5.00                                    37.7 
51         ∞        63.04     1.60859     46.4     0.566     50.0 
52         ∞         8.70     1.51633     64.2     0.535     50.0 
53         ∞        19.68                                    50.0 
像面       ∞                    
非球面データ
第1面
K = 7.53864e+000  A 4=-5.87280e-007  A 6=-8.99936e-009  A 8=-9.29496e-012  A10= 2.45206e-015  A12= 2.74033e-019  
A 5= 1.05508e-007  A 7= 4.04917e-010  A 9= 4.51288e-014  A11=-4.90820e-017  
第7面
K =-1.16313e+001  A 4=-1.66537e-007  A 6= 3.81667e-009  A 8= 2.93643e-012  A10=-2.28118e-016  A12= 1.55311e-018  A14= 1.56731e-021  A16= 2.79763e-025  
A 5=-4.69873e-008  A 7=-1.51723e-010  A 9=-6.87089e-015  A11=-2.78312e-017  A13=-5.27462e-020  A15=-3.17098e-023  
第19面
K = 1.92331e+001  A 4= 9.10600e-007  A 6=-2.62031e-009  A 8= 2.29310e-009  A10=-1.07036e-011  A12=-1.74510e-014  
A 5= 4.65541e-007  A 7=-1.76045e-008  A 9=-4.64027e-011  A11= 8.05488e-013  
【００６６】
各種データ
ズーム比      6.70 
焦点距離      11.00    19.80    35.20    55.55    73.70  
Fナンバー      2.27     2.27     2.27     2.27     2.30  
半画角        40.06    25.04    14.72     9.45     7.15  
像高           9.25     9.25     9.25     9.25     9.25  
レンズ全長   361.55   361.55   361.55   361.55   361.55  
BF            19.68    19.68    19.68    19.68    19.68  
d18            0.89    19.43    32.73    40.42    43.92  
d26           36.72    16.75     5.05     2.40     4.01  
d29           11.60    13.03    11.43     6.39     1.28  
入射瞳位置    52.50    68.19    89.37   110.96   125.43  
射出瞳位置   701.34   701.34   701.34   701.34   701.34  
前側主点位置  63.68    88.56   126.39   171.04   207.10  
後側主点位置   8.68    -0.12   -15.52   -35.87   -54.02  
ズームレンズ群データ
群  始面    焦点距離  レンズ構成長  前側主点位置  後側主点位置
1    1      44.38       106.64        60.44         31.72
2   19     -26.12        19.01         2.97        -12.23
3   27     -51.39         4.28        -0.17         -2.51
4   31      62.39        84.60        66.13        -67.83
単レンズデータ
レンズ  始面  焦点距離
1       1    -75.06
2       3   -113.50
3       5    147.75
4       7    157.14
5       9   -125.62
6      10    149.99
7      12   -140.45
8      13    117.31
9      15    234.80
10      17     87.17
11      19    -34.90
12      21    -53.27
13      23     39.68
14      25    -68.75
15      27    -30.23
16      28     74.58
17      31    124.87
18      33     31.41
19      34    -33.17
20      36     23.40
21      37    -25.85
22      39     24.92
23      40    -23.11
24      42     65.03
25      44    -34.58
26      45     64.44
27      47    117.20
28      49    139.34
29      51      0.00
30      52      0.00
【００６７】
（数値実施例４）
単位 mm
面データ
面番号       r        d      nd         vd
1*       148.689    2.80   1.80100    35.0           
2         40.975   29.46                             
3       -107.478    2.20   1.64000    60.1           
4        356.045    0.20                             
5        116.351    8.20   1.95906    17.5           
6        458.890    2.27                             
7*       146.844    7.69   1.60311    60.6           
8       -230.654   10.00                             
9        436.411    2.00   1.84666    23.8           
10         83.817    0.00   1.43875    94.7           
11         83.817    9.19   1.43875    94.7           
12       1287.588    0.20                             
13        159.095    2.00   1.80000    29.8           
14         62.682   12.45   1.43875    94.7           
15       -157.140    0.25                             
16        248.094    5.20   1.59522    67.7           
17       -297.056    0.20                             
18        101.095    9.75   1.76385    48.5           
19       -159.427  (可変)                             
20*        87.535    1.30   1.77250    49.6           
21         22.170    9.45                             
22        -35.651    0.90   1.69680    55.5           
23        164.853    0.12                             
24         68.167    4.08   1.85478    24.8           
25        -71.935  (可変)                             
26        -28.548    0.90   1.77250    49.6           
27        -45.188  (可変)                             
28        -33.892    0.90   1.72916    54.7           
29         54.974    2.56   1.84666    23.8           
30        701.963  (可変)                             
31(絞り)    ∞       1.40                             
32       -269.592    3.12   1.64000    60.1           
33        -53.675    0.15                             
34         73.372    5.60   1.72047    34.7           
35        -38.333    1.20   1.53775    74.7           
36         37.055    1.07                             
37         46.967    7.10   1.72047    34.7           
38        -28.862    1.20   1.92286    18.9           
39       -319.564   15.48                             
40       -189.528    5.80   1.92286    18.9           
41        -22.465    1.30   2.00330    28.3           
42        452.499    9.94                             
43         89.344    7.48   1.43875    94.7           
44        -37.794    0.14                             
45        -79.386    1.40   1.91650    31.6           
46         52.768    7.85   1.43875    94.7           
47        -58.340    0.20                             
48        148.615    5.56   1.43875    94.7           
49        -75.217    0.15                             
50         60.559    5.65   1.48749    70.2           
51       -315.493    5.00                             
52          ∞      63.04   1.60859    46.4           
53          ∞       8.70   1.51633    64.2           
54          ∞                                  
像面        ∞   
非球面データ
第1面
K = 6.93423e+000  A 4=-3.98582e-007  A 6=-1.02005e-008  A 8=-1.05821e-011  A10= 2.75297e-015  A12= 3.36917e-019  
A 5= 1.19587e-007  A 7= 4.58162e-010  A 9= 5.50879e-014  A11=-5.73971e-017  
第7面
K =-7.93349e+000  A 4=-1.46483e-007  A 6= 4.06488e-009  A 8= 3.53554e-012  A10=-2.49402e-016  A12= 1.55453e-018  A14= 9.11403e-022  A16= 1.52048e-025  
A 5=-4.98010e-008  A 7=-1.66894e-010  A 9=-1.62734e-014  A11=-2.80095e-017  A13=-4.21186e-020  A15=-1.61005e-023  
第20面
K = 2.04249e+001  A 4=-1.64923e-006  A 6=-1.14035e-007  A 8=-1.24632e-010  A10=-6.87145e-012  A12=-9.69214e-015  
A 5= 5.67669e-007  A 7= 7.59481e-009  A 9= 3.06376e-011  A11= 4.47794e-013  
【００６８】
各種データ
ズーム比      6.70 
広角     中間     望遠
焦点距離      11.00    35.20    73.70  
Fナンバー      2.26     2.27     2.27  
半画角        40.06    14.72     7.15  
像高           9.25     9.25     9.25  
レンズ全長   355.99   355.99   355.99  
BF            19.50    19.50    19.50  
d19            0.89    32.17    43.45  
d25            5.03     6.98     4.28  
d27           36.18     3.37     5.01  
d30           11.60    11.19     0.97  
d54           19.50    19.50    19.50  
ズームレンズ群データ
群  始面    焦点距離  
1    1      43.55  
2   20     -43.09  
3   26    -102.29  
4   28     -48.51  
5   31      61.11  
各実施例と前述した条件式との対応を表１に示す。
【００６９】
【表１】
2019070713.tif 000004
【符号の説明】
【００７０】
Ｕ１    ：  第１レンズ群
Ｕ２    ：  第２レンズ群
Ｕ３    ：  第３レンズ群
Ｕ４    ：  第４レンズ群
Ｕ４Ａ  ：  第４レンズ前群（前レンズ群）
Ｕ４Ｂ  ：  第４レンズ後群（後レンズ群）
Ｕ５    ：  第５レンズ群
Ｕ５Ａ  ：  第５レンズ前群（前レンズ群）
Ｕ５Ｂ  ：  第５レンズ後群（後レンズ群）
【図１】
2019070713.tif 000005
【図２】
2019070713.tif 000006
【図３】
2019070713.tif 000007
【図４】
2019070713.tif 000008
【図５】
2019070713.tif 000009
【図６】
2019070713.tif 000010
【図７】
2019070713.tif 000011
【図８】
2019070713.tif 000012
【図９】
2019070713.tif 000013
【図１０】
2019070713.tif 000014